(57)【特許請求の範囲】
【請求項１】
上部にガラス装着部が設けられた合成樹脂製のケース本体と、
このケース本体の１２時６時方向に取り付けられたバンド取付部と、
このバンド取付部に取り付けられた時計バンドと、
前記ケース本体の前記ガラス装着部の外側を覆う軟質材料からなる緩衝部材と、
前記ケース本体の前記ガラス装着部の外周及び前記緩衝部材の内周側に固定され、前記緩衝部材を係止して前記緩衝部材の変形を規制する係止部が形成された金属製リングと、
を備え、
前記金属製リングの前記係止部は、少なくとも前記バンド取付部に対応する箇所に設けられ、前記緩衝部材に設けられた凹部に挿入することで、前記ケース本体に対して前記緩衝部材の一部を固定することを特徴とする腕時計。
【請求項２】
前記緩衝部材の内周面と前記金属製リングの外周面との間に空間が形成されていることを特徴とする請求項１に記載の腕時計。
【請求項３】
前記空間は、前記係止部が前記凹部の下部を係止した状態で前記係止部の上部に形成される空間であることを特徴とする請求項２に記載の腕時計。
【請求項４】
前記緩衝部材は、前記金属製リングの前記係止部によって前記ケース本体に対して係止される第１のベゼルを備えているほかに、前記ケース本体および前記バンド取付部の両者に当接する軟質材料からなる第２のベゼルを備えていることを特徴とする請求項１〜３のいずれか一項に記載の腕時計。
【請求項５】
前記第１のベゼルと前記第２のベゼルとの間には、金属製の第３のベゼルが配置されていることを特徴とする請求項４に記載の腕時計。
【発明の詳細な説明】
【技術分野】
【０００１】
この発明は、電子腕時計などの腕時計に関し、更に詳しくは合成樹脂製のケース本体を備えた腕時計に関する。
【背景技術】
【０００２】
従来、腕時計においては、特許文献１に記載されているように、合成樹脂製のケース本体の上部に時計ガラスが装着するガラス装着部を設ける共に、この合成樹脂製のケース本体中にガラス装着部の強度を確保するための金属補強板をガラス装着部に対応させて埋め込んだ構成のものが知られている。
【先行技術文献】
【特許文献】
【０００３】
【特許文献１】実開平０２−１６３０６号公報
【発明の概要】
【発明が解決しようとする課題】
【０００４】
しかしながら、このような従来の腕時計では、金属補強板によってケース本体のガラス装着部の強度を確保することができても、時計バンドが取り付けられるバンド取付部の強度を確保することができないため、バンド取付部を大きく形成して強度を確保する必要があり、このため時計全体が大型化するという問題がある。
【０００５】
このような問題を解消するために、従来の腕時計では、バンド取付部をケース本体とは別に形成し、このバンド取付部をケース本体に取り付けることにより、時計全体の小型化および薄型化を図った構成のものが開発されている。このような構成の腕時計では、ケース本体にバンド取付部を単に取り付けた構成であると、時計バンドによってバンド取付部が押し上げられるため、ベゼルによってバンド取付部を位置規制する必要がある。
【０００６】
このような腕時計においては、ベゼルをケース本体のガラス装着部とバンド取付部との間に位置するケース本体の外周面に設けているが、ベゼルが軟質の合成樹脂で形成されていると、時計バンドと共にバンド取付部が押し上げられた際に、ベゼルが変形するので、緩衝効果があっても、ベゼルとケース本体との間に隙間が生じるという問題がある。また、ベゼルが金属で形成されていると、時計バンドと共にバンド取付部が押し上げられた際に、ベゼルが変形しないため、ベゼルとケース本体との間に隙間が生じることはないが、緩衝効果が得られないという問題がある。
【０００７】
そこで、ベゼルを軟質合成樹脂製の第１ベゼルと金属製の第２ベゼルとで構成することにより、バンド取付部の位置規制効果と緩衝効果との両方が得られるように構成することが検討されている。しかし、軟質合成樹脂製の第１ベゼルと金属製の第２ベゼルとを単に組み合わせた構成では、時計バンドと共にバンド取付部が押し上げられた際に、軟質合成樹脂製の第１ベゼルが浮き上がり、この第１ベゼルと金属製の第２ベゼルとの間に隙間が生じしてしまうという問題が生じる。
【０００８】
この発明が解決しようとする課題は、合成樹脂製のケース本体の強度を確保すると共に、軟質合成樹脂からなる第１ベゼルなどの緩衝部材が変形して隙間が発生するのを防ぐことができる腕時計を提供することである。
【課題を解決するための手段】
【０００９】
本発明は、上部にガラス装着部が設けられた合成樹脂製のケース本体と、このケース本体の１２時６時方向に取り付けられたバンド取付部と、このバンド取付部に取り付けられた時計バンドと、前記ケース本体の前記ガラス装着部の外側を覆う軟質材料からなる緩衝部材と、前記ケース本体の前記ガラス装着部の外周及び前記緩衝部材の内周側に固定され、前記緩衝部材を係止して前記緩衝部材の変形を規制する係止部が形成された金属製リングとを備え、前記金属製リングの前記係止部は、少なくとも前記バンド取付部に対応する箇所に設けられ、前記緩衝部材に設けられた凹部に挿入することで、前記ケース本体に対して前記緩衝部材の一部を固定することを特徴とする腕時計である。
【発明の効果】
【００１３】
この発明によれば、金属製リングによって合成樹脂製のケース本体およびそのガラス装着部の強度を確保することができると共に、時計バンドによってバンド取付部が押し上げられた際に、金属製リングの係止部によって緩衝部材の浮き上がりを防ぐことができ、これにより緩衝部材が変形して隙間が発生するのを防ぐことができる。
【図面の簡単な説明】
【００１４】
【図１】この発明を適用した腕時計の一実施形態を示した拡大正面図である。
【図２】図１に示された腕時計のＡ−Ａ矢視における拡大断面図である。
【図３】図１に示された腕時計のＡ−Ａ矢視における要部を断面で示した拡大斜視図である。
【図４】図２に示された腕時計における第１のベゼルを示した拡大斜視図である。
【図５】図２に示された腕時計において、ケース本体のガラス装着部に金属製リングを装着した状態を示した斜視図である。
【図６】図５に示されたケース本体の外周に第１のベゼルを金属製リングによって係止させた状態を示した斜視図である。
【図７】図６に示されたケース本体の外周に第２のベゼルと第３のベゼルとを装着した状態を示した斜視図である。
【発明を実施するための形態】
【００１５】
以下、図１〜図７を参照して、この発明を適用した腕時計の一実施形態について説明する。
この腕時計は、図１〜図３に示すように、時計ケースＴＫを備えている。この時計ケースＴＫは、合成樹脂製のケース本体１を備えている。このケース本体１の上部には、ガラス装着部３がほぼ円筒形の枠状に形成されている。このガラス装着部３内には、時計ガラス２がパッキン２ａを介して装着されている。
【００１６】
また、このケース本体１の内部には、図２に示すように、時計モジュール４が設けられており、このケース本体１の下部には、裏蓋５が防水リング５ａを介して取り付けられている。時計モジュール４は、図示しないが、指針を運針させて時刻を指示する時計ムーブメントや、時刻などの情報を電気光学的に表示する平面型の表示パネルなどの時計機能に必要な各種の部品を備えている。
【００１７】
また、ケース本体１における１２時と６時とに対応する箇所には、図１〜図３に示すように、バンド取付部６がそれぞれ取り付けられている。このバンド取付部６には、図１に示すように、時計バンド７がそれぞれ取り付けられている（図１では１２時側のみを示す）。この場合、ケース本体１における１２時と６時とに対応する箇所には、図５に示すように、一対の取付突起部８がそれぞれ形成されている。この一対の取付突起部８には、それぞれピン取付孔８ａが互いに対応して設けられている。
【００１８】
また、バンド取付部６には、図２および図３に示すように、一対の取付突起部８のピン取付孔８ａに対応するケース側取付孔６ａと、時計バンド７を取り付けるためのバンド側取付孔６ｂとがそれぞれ設けられている。これにより、バンド取付部６は、ケース側取付孔６ａに取付ピン９を挿入させて一対の取付突起部８の間に配置し、この状態で取付ピン９の両端部を一対の取付突起部８の各ピン取付孔８ａにそれぞれ挿入させることにより、取付ピン９を中心に上下方向に回転可能な状態で、ケース本体１に取り付けられている。
【００１９】
一方、ケース本体１におけるガラス装着部３の外周面には、図２および図３に示すように、金属製リング１０が嵌め込まれた状態で固定されている。この金属製リング１０は、内周面が段差状に形成され、外周面がテーパ状に形成されている。すなわち、この金属製リング１０は、図２および図３に示すように、その内周面の上部がガラス装着部３の外周面に嵌着する小径部１０ａに形成され、内周面の下部がガラス装着部３の下側に位置するケース本体１の上部の外周面に嵌着する大径部１０ｂに形成されている。
【００２０】
また、この金属製リング１０は、図２および図３に示すように、その外周面の上部が小径で、下部が大径のテーパ状に形成され、この外周面の下部にケース本体１の外周面から突出する係止部１１が形成されている。この係止部１１は、ケース本体１の１２時と６時とに位置する各バンド取付部６にそれぞれ対応する金属製リング１０の箇所に設けられている。
【００２１】
この場合、金属製リング１０は、図２、図３および図５に示すように、その上部に位置する小径部１０ａがガラス装着部３に圧入されていると共に、下部に位置する大径部１０ｂがケース本体１に圧入されていることにより、小径部１０ａの内周面がガラス装着部３の外周面に密着し、大径部１０ｂの内周面がケース本体１の外周面に密着し、この状態で嵌着固定されている。
【００２２】
さらに、このケース本体１の外周部には、図１〜図３に示すように、第１〜第３の各ベゼル１２〜１４が設けられている。第１のベゼル１２は、ウレタン樹脂などの軟質の合成樹脂からなり、図４に示すように、全体がほぼリング形状に形成されている。この第１のベゼル１２は、図２、図３および図６に示すように、金属製リング１０の外周面およびケース本体１の外周面に装着されるように構成されている。
【００２３】
すなわち、この第１のベゼル１２は、図２および図３に示すように、その下部がケース本体１の外周面に設けられた突起部１５上に位置すると共に、金属製リング１０の下側に位置するケース本体１の外周面に密着し、この状態で金属製リング１０の係止部１１によって係止された状態で、ケース本体１に取り付けられるように構成されている。
【００２４】
また、この第１のベゼル１２は、図２および図３に示すように、その上部が金属製リング１０の上部外周に当接した状態で、外部上方に露出するように構成されている。この場合、第１のベゼル１２の内周面における上部は、図２〜図４に示すように、金属製リング１０の係止部１１が挿入する凹部１２ａが設けられている。
【００２５】
これにより、第１のベゼル１２は、図２および図３に示すように、その下部をケース本体１の外周面に設けられた突起部１５上に配置し、金属製リング１０の下側に位置するケース本体１の外周面に密着させた際に、金属製リング１０の係止部１１が第１のベゼル１２の凹部１２ａに挿入することにより、金属製リング１０の係止部１１によって係止されて位置規制された状態で、ケース本体１の外周に取り付けられている。
【００２６】
一方、第２のベゼル１３は、第１のベゼル１２と同様、ウレタン樹脂などの軟質の合成樹脂からなり、図２、図３および図７に示すように、ケース本体１の外周を覆うように構成されている。すなわち、この第２のベゼル１３は、図２および図３に示すように、その上部１３ａがほぼリング形状に形成され、ガラス装着部３の上部に配置された状態で、金属製リング１０の上端面、第１のベゼル１２の上端面、および時計ガラス２の上面における外周端を覆うように構成されている。
【００２７】
また、この第２のベゼル１３は、図２、図３および図７に示すように、その下部１３ｂがケース本体１に設けられた突起部１５の外端面に当接した状態で、バンド取付部６の上部に設けられた凹部６ｃに挿入することにより、ケース本体１に対してバンド取付部６を位置規制するように構成されている。この場合、第２のベゼル１３は、その上部１３ａと下部１３ｂとが連結されて一体に形成されている。これにより、第２のベゼル１３は、図２、図３および図７に示すように、ケース本体１の上部外周から下部外周に亘って、ケース本体１を覆うように構成されている。
【００２８】
さらに、第３のベゼル１４は、ステンレスなどの金属からなり、図２、図３および図７に示すように、全体がほぼリング形状に形成されている。この第３のベゼル１４は、第１のベゼル１２と第２のベゼル１３の下部１３ｂとの間に配置されている。すなわち、この第３のベゼル１４は、図２および図３に示すように、その上端部が第１のベゼル１２の上部下側に食い込んで配置されている。
【００２９】
また、この第３のベゼル１４は、図２および図３に示すように、その下端部が第２のベゼル１３における下部１３ｂの上面に設けられた凹部１３ｃに挿入されて配置されている。これにより、第３のベゼル１４は、図２、図３および図７に示すように、第１のべセル１２と第２のベゼル１３における下部１３ｂとの間に配置された状態で、外部に露出するように構成されている。さらに、時計ケースＴＫの側面における２時、４時、８時、１０時の各箇所には、図１に示すように、押釦スイッチ１６がそれぞれ設けられている。
【００３０】
次に、この腕時計のケース本体１に金属製リング１０および第１〜第３の各ベゼル１２〜１４を組み付ける場合について説明する。
まず、図５に示すように、ケース本体１のガラス装着部３の外周に金属製リング１０を圧入させて固定する。このときには、図２および図３に示すように、金属製リング１０の上部に位置する小径部１０ａをガラス装着部３の外周に圧入させると共に、金属製リング１０の下部に位置する大径部１０ｂをケース本体１の外周に圧入させる。
【００３１】
これにより、金属製リング１０がガラス装着部３の外周面およびその下側に位置するケース本体１の外周面に嵌着されて固定される。この状態では、金属製リング１０の外周面がテーパ状をなし、このテーパ状の下部に設けられた係止部１１が、ケース本体１の外周面から突出した状態で、ケース本体１の１２時と６時とに位置する各バンド取付部６にそれぞれ対応して配置される。
【００３２】
次に、図６に示すように、第１のベゼル１２をケース本体１の外周に装着する。このときには、図２および図３に示すように、第１のベゼル１２の下部をケース本体１の外周面に設けられた突起部１５上に配置すると共に、金属製リング１０の下側に位置するケース本体１の外周面に密着させ、この状態で金属製リング１０の係止部１１を第１のベゼル１２の内周面における上部に設けられた凹部１２ａに挿入させる。
【００３３】
これにより、第１のベゼル１２は、図２および図３に示すように、その下部が金属製リング１０の係止部１１によって係止されて位置規制され、この状態でケース本体１の外周に取り付けられる。このときには、第１のベゼル１２の内周面における上部の凹部１２ａによって第１のベゼル１２の上部内面と金属製リング１０の外周面との間に空間が形成され、この空間によって第１のベゼル１２の上部が変形し易くなっている。
【００３４】
次いで、図２、図３および図７に示すように、第２のベゼル１３をケース本体１の外周に装着する。このときには、図２および図３に示すように、第２のベゼル１３の上部１３ａがほぼリング形状に形成され、ガラス装着部３の上部に配置されて、金属製リング１０の上端面、第１のベゼル１２の上端面、および時計ガラス２の上面における外周端を覆う。また、このときには、第２のベゼル１３の下部１３ｂが、図２および図３に示すように、ケース本体１に設けられた突起部１５の外端面に当接した状態で、バンド取付部６の上部に設けられた凹部６ｃに挿入可能な状態で斜め下側に向けて突出して配置される。
【００３５】
次に、図７に示すように、金属製の第３のベゼル１４を第１のベゼル１２と第２のベゼル１３の下部１３ｂとの間に取り付ける。このときには、バンド取付部６が取り付けられていないので、図２および図３に示すように、第２のベゼル１３の下部１３ｂを下側に押し下げて変形させ、この状態で第３のベゼル１４を第１のベゼル１２と第２のベゼル１３の下部１３ｂとの間に配置する。
【００３６】
すなわち、このときには、第３のベゼル１４の上端部を第１のベゼル１２の上部下側に食い込ませると共に、第３のベゼル１４の下端部を第２のベゼル１３における下部１３ｂの上面に設けられた凹部１３ｃ内に挿入させて配置する。これにより、第３のベゼル１４が第１のべセル１２と第２のベゼル１３の下部１３ｂとの間に配置されて外部に露出する。
【００３７】
この後、ケース本体１にバンド取付部６を取り付ける。このときには、図２および図３に示すように、バンド取付部６のケース側取付孔６ａに取付ピン９を挿入させ、この状態でバンド取付部６を図５に示すケース本体１の一対の取付突起部８の間に配置する。このときには、図２および図３に示すように、バンド取付部６の上部に設けられた凹部６ｃに第２のベゼル１３の下部１３ｂを挿入させる。
【００３８】
そして、取付ピン９の両端部をケース本体１の一対の取付突起部８の各ピン取付孔８ａにそれぞれ挿入させる。これにより、バンド取付部６が取付ピン９によってケース本体１に取り付けられる。このときには、バンド取付部６によって第２のベゼル１３が押し上げられ、この第２のベゼル１３によってその下部１３ｂ上の凹部１３ｃに挿入された金属製の第３のベゼル１４の下端部が押し上げられ、この第３のベゼル１４の上端部が第１のベゼル１２の上部下側に食い込む。
【００３９】
このため、バンド取付部６は、図２および図３に示すように、第１〜第３の各ベゼル１２〜１４によって位置規制される。この後、バンド取付部６に時計バンド７を取り付ける。このときには、バンド取付部６のバンド側取付孔６ｂに取付ピン（図示せず）を挿入させ、この取付ピンによって時計バンド７をバンド取付部６に取り付ける。
【００４０】
次に、この腕時計の作用について説明する。
通常は、ケース本体１に取り付けられたバンド取付部６が、第１〜第３のベゼル１２〜１４によって位置規制されている。すなわち、ケース本体１のバンド取付部６が取り付けられた際には、第２のベゼル１３の下部１３ｂがケース本体１の突起部１５の外端部に当接していると共に、第２のベゼル１３の下部１３ｂがバンド取付部６の凹部６ｃに挿入していることにより、この第２のベゼル１３によってバンド取付部６がケース本体１に対して弾力的に位置規制されている。
【００４１】
この状態で、時計バンド７が押し上げられた際には、時計バンド７によってバンド取付部６が押し上げられ、このバンド取付部６によって第２のベゼル１３の下部１３ｂが押し上げられる。すると、この第２のベゼル１３によってその下部１３ｂ上の凹部１３ｃに挿入された金属製の第３のベゼル１４の下端部が弾力的に押し上げられ、この第３のベゼル１４の上端部が第１のベゼル１２の上部下側に食い込んで押し付けられる。
【００４２】
このときには、図２および図３に示すように、第１のベゼル１２の下部が金属製リング１０の係止部１１によって係止されていることにより、第１のベゼル１２がケース本体１の外周に位置規制された状態で取り付けられる。このため、第１のベゼル１２は金属製の第３のベゼル１４によって押し上げられても、第１のベゼル１２が浮き上がることがなく、ケース本体１の外周に密着して固定されている。
【００４３】
また、このときには、第１のベゼル１２がその上部の凹部１２ａによって第１のベゼル１２の上部内面と金属製リング１０の外周面との間に空間が形成され、この空間によって第１のベゼル１２の上部が変形し易くなっているので、第１のベゼル１２の上部が金属製の第３のベゼル１４によって押し上げられると、第１のベゼル１２の上部が変形し、第３のベゼル１４が隙間を生じることなく、第１のベゼル１２の上部下側に良好に食い込む。
【００４４】
このため、時計バンド７によってバンド取付部６が押し上げられても、その押し上げ力を第１〜第３の各ベゼル１２〜１４によって緩衝することができると共に、金属製リング１０の係止部１１によって第１のベゼル１２が係止されてケース本体１に対して固定されているので、バンド取付部６の押し上げ力によって第１のベゼル１２が浮き上がることがなく、これにより第１のベゼル１２の変形によって隙間が生じることがない。
【００４５】
このように、この腕時計によれば、ガラス装着部３が設けられた合成樹脂製のケース本体１と、このケース本体１の１２時６時方向に取り付けられたバンド取付部６と、このバンド取付部６に取り付けられた時計バンド７と、ケース本体１のガラス装着部３の外側を覆う第１のベゼル１２と、ケース本体１のガラス装着部３の外周に固定され、第１のベゼル１２を係止して第１のベゼル１２の変形を規制する係止部１１が形成された金属製リング１０とを備えているので、合成樹脂製のケース本体１の強度を確保することができると共に、第１のベゼル１２の変形による隙間の発生を防ぐことができる。
【００４６】
すなわち、この腕時計では、金属製リング１０がケース本体１のガラス装着部３に圧入によって固定されていることにより、この金属製リング１０によって合成樹脂製のケース本体１およびガラス装着部３を補強することができ、これによりケース本体１およびガラス装着部３の強度を十分に確保することができる。
【００４７】
このため、ガラス装着部３の肉厚を薄く形成しても、金属製リング１０によってガラス装着部３の強度を確保することができるので、ケース本体１を合成樹脂で形成しても、ケース本体１の小型化を図ことができるほか、従来のように金属補強板をケース本体１中にインサート成形によって設ける必要もないので、ケース本体１を容易に製作することができると共に、ケース本体１の低コスト化をも図ることができる。
【００４８】
また、この腕時計では、第１のベゼル１２が金属製リング１０の係止部１１によって係止されているので、バンド取付部６が時計バンド７によって押し上げられた際に、金属製リング１０の係止部１１によって第１のベゼル１２が浮き上がるのを確実に防ぐことができ、これにより第１のベゼル１２が変形して隙間が発生するのを確実に且つ良好に防ぐことができる。
【００４９】
この場合、金属製リング１０の係止部１１は、少なくともバンド取付部６に対応する箇所に設けられ、ケース本体１に対して第１のベゼル１２の一部である下部を固定していることにより、接着剤を用いずに、第１のベゼル１２をケース本体１に確実に固定することができ、これによりバンド取付部６が時計バンド７によって押し上げられても、第１のベゼル１２の浮き上がりを確実に防いで、第１のベゼル１２の変形による隙間の発生を確実に且つ良好に防ぐことができる。
【００５０】
このため、バンド取付部６の押し上げを防ぐために、ケース本体１にストッパ部を設ける必要がないので、これによってもケース本体１の小型化および薄型化を図ることができると共に、ストッパ部によってケース本体１がデザイン的な制約を受けることもないので、ケース本体１を自由な形状に形成し易く、設計上の自由度を高めることができる。
【００５１】
また、この腕時計では、金属製リング１０の係止部１１によってケース本体１に対して係止される第１のベゼル１２を備えているほかに、ケース本体１およびバンド取付部６の両者に当接するウレタン樹脂などの軟質材料からなる第２のベゼル１３を備えていることにより、この第２のベゼル１３によってバンド取付部６をケース本体１に対して弾力的に且つ良好に位置規制することができる。
【００５２】
すなわち、第２のベゼル１３は、その下部１３ｂがケース本体１の突起部１５における外端面に当接していると共に、バンド取付部６の凹部６ｃに挿入していることにより、この第２のベゼル１３の下部１３ｂによってバンド取付部６をケース本体１に対して弾力的に且つ良好に位置規制することができ、これにより時計バンド７によってバンド取付部６が押し上げられた際に、その押し上げ力を良好に緩衝することができる。
【００５３】
さらに、第１のベゼル１２と第２のベゼル１３との間には、金属製の第３のベゼル１４が配置されていることにより、時計バンド７によってバンド取付部６が押し上げられた際に、その押し上げ力を第１〜第３の各ベゼル１２〜１４によって緩衝することができると共に、第１〜第３の各ベゼル１２〜１４の変形による隙間の発生を防ぐことができる。
【００５４】
すなわち、第１のベゼル１２の下部が金属製リング１０の係止部１１によって係止されてケース本体１の外周に位置規制された状態で取り付けられるので、第１のベゼル１２は金属製の第３のベゼル１４によって押し上げられても、第１のベゼル１２が浮き上がることがなく、第１のベゼル１２をケース本体１の外周に密着させて固定させることができる。
【００５５】
このため、第１のベゼル１２の内周面における上部の凹部１２ａによって、第１のベゼル１２の上部内面と金属製リング１０の外周面との間に空間が形成されていることにより、この空間によって第１のベゼル１２の上部が金属製の第３のベゼル１４によって押し上げられると、第３のベゼル１４が第１のベゼル１２の上部を容易に変形させて、その上部下側に良好に食い込ませることができ、これにより第１〜第３の各ベゼル１２〜１４の各間に隙間が発生するのを、より一層、確実に防ぐことができる。
【００５６】
なお、上述した実施形態では、金属製リング１０の係止部１１がバンド取付部６に対応する箇所に設けられている場合について述べたが、必ずしもバンド取付部６に対応する箇所のみに設けられている必要はなく、金属製リング１０の全周囲に亘って連続して設けられていても良い。
【符号の説明】
【００５７】
１  ケース本体
２  時計ガラス
３  ガラス装着部
４  時計モジュール
５  裏蓋
６  バンド取付部
６ａ  ケース側取付孔
６ｂ  バンド側取付孔
６ｃ  バンド取付部の凹部
７  時計バンド
８  取付突起部
９  取付ピン
１０  金属製リング
１０ａ  金属製リングの小径部
１０ｂ  金属製リングの大径部
１１  係止部
１２〜１４  第１〜第３の各ベゼル
１２ａ  第１のベゼルの凹部
１３ａ  第２のベゼルの上部
１３ｂ  第２のベゼルの下部
１５  ケース本体の突起部
【図１】
0005397286.tif 000002
【図２】
0005397286.tif 000003
【図３】
0005397286.tif 000004
【図４】
0005397286.tif 000005
【図５】
0005397286.tif 000006
【図６】
0005397286.tif 000007
【図７】
0005397286.tif 000008